(57)【要約】【課題】本発明は、前面パネルに設けられる折りたたみ式棚の荷重を十分に支えることができる棚ブラケットの支持構造とするとともに、折りたたみ式棚の操作性も良いオープンショーケースを提供することにある。【解決手段】前面が開口した商品貯蔵室の前面下部に略垂下位置と略水平位置とに回動可能な折りたたみ式棚を備えたオープンショーケースにおいて、前記折りたたみ式棚の裏面側にヒンジを介して左右一対の棚ブラケットを設け、前記棚ブラケットは、前記折りたたみ式棚を回動させて略水平位置にて保持する際に垂下状態となり、垂下位置にて折りたたみ式棚の裏面側と前記商品貯蔵室の前面下部と当接するように位置し、前記折りたたみ式棚を回動させて略垂下位置にて保持する際には、内側に回動して折りたたみ式棚と略水平状態となり、前記折りたたみ式棚の裏面側に位置するようにする。【選択図】図１
2010246660.tif 000002
【特許請求の範囲】
【請求項１】
前面が開口した商品貯蔵室の前面下部に略垂下位置と略水平位置とに回動可能な折りたたみ式棚を備えたオープンショーケースにおいて、
前記折りたたみ式棚の裏面側にヒンジを介して左右一対の棚ブラケットを設け、
前記棚ブラケットは、
前記折りたたみ式棚を回動させて略水平位置にて保持する際に垂下状態となり、垂下位置にて折りたたみ式棚の裏面側と前記商品貯蔵室の前面下部と当接するように位置し、
前記折りたたみ式棚を回動させて略垂下位置にて保持する際には、内側に回動して折りたたみ式棚と略水平状態となり、前記折りたたみ式棚の裏面側に位置することを特徴とするオープンショーケース。
【請求項２】
請求項１に記載のオープンショーケースにおいて、
折りたたみ式棚をから前方へ突出した略水平位置に保持するため、棚ブラケットを垂下させた状態にて折りたたみ式棚を前方に突出させた略水平位置に保持した状態で、棚ブラケットの折りたたみ式棚の裏面側に接する位置に略直角に折り曲げた折曲部を設けたことを特徴とするオープンショーケース。
【請求項３】
請求項２に記載のオープンショーケースにおいて、
棚ブラケットの商品貯蔵室の前面下部に接する位置に略直角に折り曲げた折曲部を設けたことを特徴とするオープンショーケース。
【請求項４】
請求項１ないし３のいずれかの項に記載のオープンショーケースにおいて、
折りたたみ式棚と棚ブラケットとは、ラッチ機構により保持することを特徴とするオープンショーケース。
【発明の詳細な説明】
【技術分野】
【０００１】
本発明は、本体ケース前面下部に前方へ突出可能な折りたたみ式棚が設けられているオープンショーケースに関する。
【背景技術】
【０００２】
従来この種のオープンショーケースにおける折りたたみ式棚の支持構造としては、以下の構造が知られている（特許文献１参照）。
オープンショーケースの内部には陳列室が設けられ、この陳列室には、冷蔵品たとえば惣菜などを陳列する棚が設けられている。また、陳列室の前面には商品収納および取り出し用開口が形成され、その開口の下方には前面パネルが設けられている。この前面パネルの上端部には、折りたたみ式棚の奥側の端部が蝶番などにより回動自在に取り付けられている。
この折りたたみ式棚は、使用しない場合には前面パネルに略平行な垂れ下がり位置にあり、一方、使用する場合には、略水平に前側に突出する水平位置にあり、一時的に陳列する商品を増やしたい場合などに使用するものである。
【０００３】
この折りたたみ式棚を支持する棚支持ブラケットは、板金製で上端部は略直角に折り曲げられて棚を支持する棚支持部が形成されている。また、棚支持ブラケットの奥側の端部も略直角に折り曲げられており、前面パネルに当接する当接部を、棚支持部が突出している側と同じ側に突出して形成してなる。一方、当接部が突出している面とは反対側の面には、蝶番がビス止めで取り付けられている。
この棚支持ブラケットに固定されている蝶番を、蝶番の軸が略鉛直になるように前面パネルにビス止めで固定する。そして、この蝶番により、棚支持ブラケットは前面パネルに回動自在に取り付けられる。この棚支持ブラケットは、前面パネルと略平行になる格納位置と、前面パネルから前側に突出して棚を支持する棚支持位置との間を回動するものである。
【先行技術文献】
【特許文献】
【０００４】
【特許文献１】特開平８−２２４１４７号公報
【発明の概要】
【発明が解決しようとする課題】
【０００５】
前記棚支持ブラケットでは、前面パネルから前側に突出して棚を支持する棚支持位置に位置する際に、蝶番に大きな荷重が加わることがあるため、蝶番との反対側の面に当接部を設けてある。
しかしながら、鉛直方向に取り付けられている蝶番は、当接部を付加するだけでは、折りたたみ式棚の大きさあるいは陳列する商品によっては十分に支えることができずに変形する可能性があるため、蝶番を大形化にしたり、また、鉛直方向に蝶番の数を増やしたりして対応しなければならず、蝶番を取り付けスペースおよびコスト面などで課題があった。
そこで、本発明は、上記の課題に鑑みなされものであり、前面パネルに設けられる折りたたみ式棚の荷重を十分に支えることができる棚ブラケットの支持構造とするとともに、折りたたみ式棚の操作性も良いオープンショーケースを提供することを目的とする。
【課題を解決するための手段】
【０００６】
上記目的を達成するために、本発明のオープンショーケースは、前面が開口した商品貯蔵室の前面下部に略垂下位置と略水平位置とに回動可能な折りたたみ式棚を備えたオープンショーケースにおいて、前記折りたたみ式棚の裏面側にヒンジを介して左右一対の棚ブラケットを設け、前記棚ブラケットは、前記折りたたみ式棚を回動させて略水平位置にて保持する際に垂下状態となり、垂下位置にて折りたたみ式棚の裏面側と前記商品貯蔵室の前面下部と当接するように位置し、前記折りたたみ式棚を回動させて略垂下位置にて保持する際には、内側に回動して折りたたみ式棚と略水平状態となり、前記折りたたみ式棚の裏面側に位置することを特徴とする。
また、折りたたみ式棚を前方へ突出した略水平位置に保持するため、棚ブラケットを垂下させた状態にて折りたたみ式棚を前方に突出させた略水平位置に保持した状態で、棚ブラケットの折りたたみ式棚の裏面側に接する位置に略直角に折り曲げた折曲部を設けたことを特徴とする。
【０００７】
上記折曲部に加え、棚ブラケットの商品貯蔵室の前面下部に接する位置に略直角に折り曲げた折曲部を設けたことを特徴とする。
さらに、折りたたみ式棚と棚ブラケットとは、ラッチ機構により保持することを特徴とする。
【発明の効果】
【０００８】
本発明によれば、面が開口した商品貯蔵室の前面下部に略垂下位置と略水平位置とに回動可能に設けられた折りたたみ式棚を略水平位置に保持するための棚ブラケットを折りたたみ式棚の裏面側にヒンジを介して取り付けることにより、ヒンジに大きな荷重がかかることがないため、折りたたみ式棚の耐荷重性が向上するものである。
また、棚ブラケットの折りたたみ式棚の裏面側と商品貯蔵室の前面下部と接する位置に折曲部を設けることにより、より当接箇所が広くなるため、より安定して大きな荷重を支えることが可能となる。
さらに、折りたたみ式棚を前方へ回動させるだけで、棚ブラケットが垂下位置となるため、折りたたみ式棚を使用する際の作業が容易となり、しかも、ラッチ機構を備えることで、より安全な作業が可能となる。
【図面の簡単な説明】
【０００９】
【図１】本発明の実施の形態を示すオープンショーケースの概略側面図である。
【図２】本発明の実施の形態を示すオープンショーケースの要部拡大側面図である。
【図３】本発明の実施の形態を示すオープンショーケースの要部拡大側面図である。
【図４】本発明の実施の形態を示すオープンショーケースの要部正面図である。
【図５】本発明の実施の形態を示すオープンショーケースの要部拡大正面図である。
【図６】本発明の他実施の形態を示すオープンショーケースの要部拡大正面図である。
【図７】本発明の他実施の形態を示すオープンショーケースの要部拡大正面図である。
【発明を実施するための形態】
【００１０】
以下に添付図面を参照しながら、本発明に係るオープンショーケースの実施の形態について説明する。
図１は、本発明の実施の形態を示すオープンショーケースの概略側面図、図２、図３は、図１のオープンショーケースの要部拡大側面図、図４は、オープンショーケースの要部正面図、図５は、オープンショーケースの要部拡大正面図、図６、図７は、他の実施の形態を示すオープンショーケースの要部拡大正面図である。
図１ないし図３において、断熱壁からなるショーケース本体１と鋼板からなる内箱２との間に冷気循環ダクト３が断面Ｃ字状に形成され、冷気循環ダクト３内に図示しないファンおよび冷却器が設置されている。
内箱２の内部は、商品貯蔵室４として商品陳列棚５が多段（図示は４段）に設置され、商品陳列棚５は、前縁に価格、商品名など掲示するためのタグモール６、前縁裏面に蛍光灯７がそれぞれ取り付けられており、ショーケース本体１の図示しない支柱に棚ブラケット８を介して支持されている。
【００１１】
この商品陳列棚５その上に図示しない商品が陳列され、商品貯蔵室４の前面開口９より、商品の出し入れを行うものである。
この開口９の前面下部には、前面パネル１０が形成されており、この前面パネル１０の上部にハット形金具１２がねじ１３に取り付けられている。
このハット形金具１２の前面に後部の回動軸１４を介して折りたたみ式棚１１が設けられている。
この折りたたみ式棚１１は、使用しない場合には、回動軸１４を中心として垂下位置に、使用する場合には、回動軸１４を中心に前方へ回動させ、前面パネル１０から前方へ突出した略水平位置にそれぞれ保持されるものである。
この折りたたみ式棚１１を略水平位置に保持するために左右一対の棚ブラケット１５が設けられている。
【００１２】
この左右一対の棚ブラケット１５は、折りたたみ式棚１１の裏面側にヒンジ１６を介して取り付けられている。
この棚ブラケット１５は、図４および図５に示すように、棚ブラケットを垂下させた状態にて折りたたみ式棚１１を前方に突出させた略水平位置に保持した状態で、折りたたみ式棚１１の裏面側に接する位置に略直角に折り曲げた折曲部１５ａが形成され、前方から見て奥行き方向に長く形成されている。
この折曲部１５ａの反対側の面に蝶番１６がビス１７にて折りたたみ式棚１１と棚ブラケット１５とを取り付けている。
この構成において、折りたたみ式棚１１を使用する際には、図２に示すように、折りたたんだ状態の折りたたみ式棚１１を手前に持ち上げると、図４に示すように棚ブラケット１５が２点鎖線の位置から矢印の方向に回動し、略垂直に垂下する位置となり、図３に示すように、棚ブラケット１５の後端は、ハット形金具１２に当接し、また、棚ブラケット１５の垂下した位置における上面である折曲部１５ａ上に折りたたみ式棚１１が載置され、折りたたみ式棚１１は、前面パネル１０から前方へ突出した略水平位置に保持される。
【００１３】
このように、棚ブラケット１５を前方から見て、棚ブラケット１５の後端はハット形金具１２と、棚ブラケット１５の上面の折曲部１５は折りたたみ式棚１１と接することにより、棚ブラケット１５の位置決めができ、棚ブラケット１５にかかる荷重を受け止めるものであり、ヒンジ部分が鉛直方向には設けられていないため、より大きな荷重に耐えることができる。
次に、他の実施の形態として、図６に示すように、折りたたみ式棚１１と棚ブラケット１５との間にラッチ機構１８が取り付けられている。
このラッチ機構１８は、ラッチ本体１９と係合突起２０との２部品からなり、棚ブラケット１５を前方から見て折り内側に折りたたむことにより、棚ブラケット１５の係合突起２０は、折りたたみ式棚１１の裏面に設けられているラッチ本体１９にロックされて固定されている。
【００１４】
また、折りたたみ式棚１１の使用時には、折りたたみ式棚１１に棚ブラケット１５がロックされた状態から奥方向へ押すことによって係合突起２０がラッチ本体１９から解放され、棚ブラケット１５が垂下状態となり、折りたたみ式棚１１を前面パネル１０から前方へ突出した略水平位置に保持できるものである。
また、図７に示すように、折りたたみ式棚１１を前面パネル１０から前方へ突出した略水平位置に保持するため、棚ブラケット１５が垂下した状態にて折りたたみ式棚を前方に突出させた略水平位置に保持した状態で、棚ブラケット１５の前面パネル１０のハット金具１２と接する位置を略直角に折り曲げた折曲部１５ｂを垂直方向に設けることにより、より大きな荷重に対応可能となる。
【符号の説明】
【００１５】
１      ショーケース本体
１０      前面パネル
１１      折りたたみ式棚
１２      ハット形金具
１５      棚ブラケット
１５ａ，１５ｂ    折曲部
１６      ヒンジ
１８      ラッチ機構
【図１】
2010246660.tif 000003
【図２】
2010246660.tif 000004
【図３】
2010246660.tif 000005
【図４】
2010246660.tif 000006
【図５】
2010246660.tif 000007
【図６】
2010246660.tif 000008
【図７】
2010246660.tif 000009